(57)【要約】  【課題】廃水の凝集沈殿処理における安全性を確保した上で、天然物質の添加量を削減してコストの低減を図る。  【解決手段】天然物質由来のキトサンと天然物質由来のアルギン酸ソーダとを１：１の割合として添加する。  【選択図】なし【特許請求の範囲】
【請求項１】
廃水の凝集沈殿処理方法において、
廃水に対して、天然物質由来のキトサンを含む凝集剤と、天然物質由来のアルギン酸ソーダを含む凝集剤とを１：１の割合で添加して凝集沈殿処理をすることを特徴とする廃水の凝集沈殿処理方法。
【請求項２】
廃水の凝集沈殿処理方法において、
廃水に対して、天然物質由来のキトサンと天然物質由来のアルギン酸ソーダとが１：１の割合で含有されている凝集剤を添加して凝集沈殿処理をすることを特徴とする廃水の凝集沈殿処理方法。
【発明の詳細な説明】
【技術分野】
【０００１】
本発明は、土木建築工事廃水・工場廃水・浚渫廃水等の各種廃水に含まれる汚泥・汚物・重金属等の各種微細浮遊物を凝集して沈殿する廃水の凝集沈殿処理方法に関する。
【背景技術】
【０００２】
従来、土木建築工事廃水・工場廃水・浚渫廃水等の各種廃水に含まれる汚泥・汚物・重金属等の各種微細浮遊物を凝集して沈殿する廃水の凝集沈殿処理に用いられる凝集剤には、下記特許文献１〜特許文献４に記載されているように、ＰＡＣ（ポリ塩化アルミニウム）や硫酸バンド等を用いた無機凝集剤や、フロックを更に粗大化して沈降を促進させる合成高分子凝集剤が既知である。
又、前記無機凝集剤や合成高分子凝集剤は、上水道の処理にも使用されているが、近年の化学物質に対する安全性への疑問が残り、その安全対策という点において使用を規制する動きもある。
【特許文献１】特開平１０−７６２７９号公報
【特許文献２】特開平１１−２８５６０３号公報
【特許文献３】特開平１１−３４７５９３号公報
【特許文献４】特開２００４−１７４３０５号公報
【発明の開示】
【発明が解決しようとする課題】
【０００３】
本発明は、廃水の凝集沈殿処理における安全性を確保した上で、効率良い凝集沈殿処理を行うことを課題とし、この課題を解決する廃水の凝集沈殿処理方法の提供を目的とする。
【課題を解決するための手段】
【０００４】
前記目的を達成するため、本発明が採用した技術的手段は、廃水の凝集沈殿処理方法において、廃水に対して、天然物質由来のキトサンを含む凝集剤と、天然物質由来のアルギン酸ソーダを含む凝集剤とを１：１の割合で添加して凝集沈殿処理をすることを特徴とする廃水の凝集沈殿処理方法にしたことである。
【０００５】
又、廃水の凝集沈殿処理方法において、廃水に対して、天然物質由来のキトサンと天然物質由来のアルギン酸ソーダとを、１：１の割合で含有した凝集剤を添加して凝集沈殿処理をすることを特徴とする廃水の凝集沈殿処理方法にしたことである。
【０００６】
本発明でいうキトサンは、天然物質由来のものであればよく、例えば、カニやエビ等の甲殻類生物の甲羅等から抽出精製したもの等が知られている。
又、本発明でいうアルギン酸ソーダは、天然物質由来のものであればよく、例えば、コンブやワカメ等の海藻類から抽出精製したものが知られている。
【発明の効果】
【０００７】
本発明によれば、廃水の凝集沈殿処理における安全性を確保した上で、天然物質の添加量を削減してコストの低減を行うことができる。
【発明を実施するための最良の形態】
【０００８】
以下、本発明に係る廃水の凝集沈殿処理方法を実施するための最良の形態を説明する。
下記の各実施例では、本発明に係る凝集剤を用いて各種廃水の凝集沈殿処理を行った実験及びその実験で得られた結果を示す。
【実施例】
【０００９】
(実施例１)
本実施例は、原水濁度５５４度、pH７．０９の粘土質廃水の凝集沈殿処理を示している。
具体的には、前記廃水を５００mlに添加するアルギン酸ソーダ溶液（以下、凝集剤Ａという）の添加量２５ppm（mg/l）に対してキトサン溶液（以下、凝集剤Ｂ）の添加量を等倍、２倍、３倍、４倍とし、該添加割合で添加した各廃水の凝集されたフロックの沈降速度、５分間静置後の上澄水濁度、pH、フロック粒径を測定した結果を表１に示す。
又、本実施例では、廃水に凝集剤Ｂを添加して攪拌混合した後、凝集剤Ａを添加して攪拌混合して凝集を行った。
又、本実施例の凝集剤Ａは、原料にワカメを用いたアルギン酸ソーダの０．２％溶液であり、凝集剤Ｂは原料にカニの甲羅を用いたキトサンと酢酸を１：１の割合で混合した０．２％溶液である。
尚、表中に示すフロック粒径は、その径を示す記号であり、Ｄ−１は０．３ｍｍ〜０．５ｍｍ，Ｄ−２は０．５ｍｍ〜０．７５ｍｍ，Ｄ−３は０．７５ｍｍ〜１．０ｍｍ，Ｄ−４は１．０ｍｍ〜１．５ｍｍ，Ｄ−５は１．５ｍｍ〜２．２５ｍｍを夫々意味する。
【００１０】
【表１】
2008126168.tif 000002
【００１１】
本実施例によれば、凝集剤Ａと凝集剤Ｂの割合を１：１として廃水に添加した場合、他の割合で廃水に添加した場合に比べて、フロック粒径及びpHは、ほとんど変わらないものの、沈降速度が高く、上澄水濁度が低いものであるという結果が得られた。
又、凝集剤Ａの添加量に対して凝集剤Ｂの添加量を多くした場合、ひも状で浮きやすいフロックが発生し、上澄水濁度が極めて高いものであるという結果が得られた。
この結果により、凝集剤Ａと凝集剤Ｂの割合を１：１として廃水に添加した場合の凝集沈殿処理能力が高いことが証明された。
【００１２】
（実施例２）
本実施例は、前記実施例１の実験結果に基づいて、１:１の割合とする凝集剤Ａと凝集剤Ｂの添加量を２０ppm，３０ppm，４０ppmとした場合の、沈降速度、５分間静置後の上澄水濁度、pH、フロック粒径を測定した結果を表２に示す。
本実施例における凝集剤Ａ及び凝集剤Ｂは、前記実施例で用いたものと同じものである。
【００１３】
【表２】
2008126168.tif 000003
【００１４】
本実施例によれば、凝集剤Ａ及び凝集剤Ｂの添加量が多くなるに従い、沈降速度・フロック粒径・pHがそれほど変わらないものの、上澄水濁度は低くなるという結果が得られた。
この結果により、凝集剤Ａ及び凝集剤Ｂの添加量を多くすると凝集能力を高くすることができるということが証明された。
【００１５】
（実施例３）
本実施例では、廃水に対して凝集剤Ａ及び凝集剤Ｂを添加した場合（Ａ）の凝集沈殿処理能力と、凝集剤Ｂのみを添加した場合（Ｂ）の凝集沈殿処理能力を比較し、その結果を表３に示す。
又、本実施例では、凝集剤Ｂの添加量を（Ａ），（Ｂ）共に１０ppmとし、（Ａ）の場合、凝集剤Ａの添加量を２．０ppmとし、該添加割合で添加した各廃水の凝集されたフロックの沈降速度、５分間静置後の上澄水濁度、pH、フロック粒径を測定した結果を表３に示す。
又、本実施例における凝集剤Ａ及び凝集剤Ｂは、前記実施例で用いたものと同じものである。
又、本実施例で使用した廃水は、原水濁度３８００度、pH６．９５、ＳＳ濃度１１５０mg/lの粘土質廃水である。
【００１６】
【表３】
2008126168.tif 000004
【００１７】
本実施例によれば、凝集剤Ａをわずか２．０ppm添加することにより、凝集剤Ｂのみを添加した場合に比べて、上澄水濁度が低くなるという結果が得られた。
この結果により、凝集剤Ｂを単独で添加するよりも、凝集剤Ａ及び凝集剤Ｂの双方を添加したほうが、凝集能力が高いということが証明された。
【００１８】
（実施例４）
本実施例では、本発明の凝集剤Ａ及び凝集剤Ｂと従来の凝集剤Ｃとが同等の凝集沈殿処理結果を得るために、凝集剤Ａ及び凝集剤Ｂを１:１の割合で廃水に添加する添加量（表４）と、従来使用されていた凝集剤Ｃ（ＰＡＣ及び合成高分子）を廃水に添加する添加量（表５）を測定した結果を表４及び表５に示す。
本実施例で使用した廃水は、原水濁度６５５度、中和剤によりpH９．７からpH７．３に調整したものである。
【００１９】
【表４】
2008126168.tif 000005
【００２０】
【表５】
2008126168.tif 000006
【００２１】
本実施例によれば、廃水に対して凝集剤Ｃを添加した際に、廃水に対して凝集剤Ａ及び凝集剤Ｂを２ppm〜５ppm添加した場合の上澄水濁度よりも低くなるようにするには、表５に示すように、少なくとも、ＰＡＣを７５ppmよりも多い添加量を要し、本実施例においては１００ppmで、凝集剤Ａ及び凝集剤Ｂを２ppm〜５ppm添加した場合の上澄水濁度よりも低くなるという結果が得られた。
この結果により、同等の凝集沈殿処理結果を得るために、従来の凝集剤Ｃの添加量に比べて、凝集剤Ａ及び凝集剤Ｂの添加量を大幅に削減できることが証明された。
【００２２】
本形態の廃水の凝集沈殿処理方法では、凝集剤Ａと凝集剤Ｂとを併用すると、凝集剤Ｂ単独で添加するよりも凝集沈殿処理能力に優れるが、凝集剤Ａと凝集剤Ｂとを１：１の割合で添加すると、より高い凝集沈殿処理能力を得ることができる。
しかも、凝集剤Ａと凝集剤Ｂとを１：１の割合で添加する場合、従来の凝集剤Ｃの添加量に比べてその添加量を大幅に削減しても、少なくとも同等以上の凝集沈殿処理能力を得ることができる。
更に、凝集剤Ａの原料がワカメを用いたアルギン酸ソーダ、凝集剤Ｂの原料がカニの甲羅を用いたキトサンという、食物や化粧品等にも用いられる天然物質からなるものであるので、凝集剤Ｃに比べて安全性を確保するという点で優れている。
したがって、廃水の凝集沈殿処理における安全性を確保した上で、天然物質の添加量を削減してコストの低減を行うことができる。
【００２３】
尚、本発明は、例示した実施の形態に限定するものでは無く、特許請求の範囲の各項に記載された内容から逸脱しない範囲の構成による実施が可能である。
前記実施の形態で例示した廃水の凝集沈殿処理方法は、天然物質由来のキトサンを含む凝集剤と、天然物質由来のアルギン酸ソーダを含む凝集剤とを１：１の割合で添加して凝集沈殿処理をする方法としたものであるが、天然物質由来のキトサンと天然物質由来のアルギン酸ソーダとが１：１の割合で含有されている凝集剤を添加して凝集沈殿処理をする方法にしても、同等の効果を得ることが期待できる。